【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
レンダリングされたテキストとのインタラクションを処理するコンピュータシステムにおける方法であって、
レンダリングされたテキストからハンドヘルド取得装置を使用して取得された一連の画像を受信するステップと、
前記一連の画像の少なくともいくつかに基づいて、前記取得が行われた文書における文書及び位置を識別するステップと、
前記一連の画像に基づいて、前記レンダリングされたテキストに関して運動経路を判定するステップと、
前記判定された運動経路に整合する経路パターンに関連するコマンドを識別するステップと、
前記識別された文書内の前記識別された位置に関して前記識別されたコマンドを実行するステップと、を含む方法。
【請求項２】
前記レンダリングされたテキストに関して運動経路を判定するステップは、前記一連の画像の画像フレーム内の前記取得されたレンダリングされたテキストの視覚的特徴の運動をトラッキングすることを含む、請求項１に記載の方法。
【請求項３】
前記レンダリングされたテキストは、機械によってレンダリングされたテキストを含む、請求項１に記載の方法。
【請求項４】
前記レンダリングされたテキストは、印刷されたテキストを含む、請求項１に記載の方法。
【請求項５】
前記識別されたコマンドは、前記識別された位置に対応する位置における前記識別された文書の電子バージョンの内容を修正するための編集コマンドを含む、請求項１に記載の方法。
【請求項６】
前記判定された運動経路は、開始ラインから終了ラインまでの垂直経路を含み、
前記識別されたコマンドは、前記開始ラインから前記終了ラインまでの前記レンダリングされた文書の領域を選択することを含む、請求項１に記載の方法。
【請求項７】
前記判定された運動経路は、開始ワードで始まる右から左への運動に続いて、終了ワードで始まる左から右への運動を含み、
前記識別されたコマンドは、前記開始ワードから前記終了ワードまでの前記レンダリングされた文書の領域を選択することを含む、請求項１に記載の方法。
【請求項８】
前記判定された運動経路は、前記ページに対して直交する運動と、前記レンダリングされたテキスト内のポイントへ向けた運動とを含み、
前記識別されたコマンドは、前記ポイントを取り囲む前記レンダリングされたテキストの領域に関して可能なアクションのリストを表示することを含む、請求項１に記載の方法。
【請求項９】
前記判定された運動経路は、同じセクションに関する先行コマンドの実行のすぐ後に続くレンダリングされたテキストの同じセクションを横切る交互方向の運動のシーケンスを含み、
前記識別されたコマンドは、前記先行コマンドの実行を取り消すことを含む、請求項１に記載の方法。
【請求項１０】
前記判定された運動経路は、レンダリングされたテキストの同じセクションを横切る水平運動のシーケンスを含み、
前記識別されたコマンドは、レンダリングされたテキストの前記セクションに強調の属性を追加することを含む、請求項１に記載の方法。
【請求項１１】
前記判定された運動経路は、前記レンダリングされたテキストのセクションを取り囲む閉鎖された経路を含み、
前記識別されたコマンドは、前記取り囲まれたテキストのセクションを選択することを含む、請求項１に記載の方法。
【請求項１２】
携帯光学テキスト取得装置においてレンダリングされた文書からテキストを取得するための方法であって、
前記レンダリングされた文書から、前記レンダリングされた文書内のテキストの第１の画像を取得することと、
前記取得されたテキストの第１の画像を、前記携帯光学テキスト取得装置から分離したコンピュータシステムにアップロードすることと、
前記コンピュータシステムから、前記レンダリングされた文書において使用される書体の文字画像の文字ＩＤへのマッピングを受信することと、
前記レンダリングされた文書から、前記レンダリングされた文書内のテキストの第２の画像を取得することと、
前記受信されたマッピングを使用することにより、文字であって、前記文字の画像が前記テキストの第２の画像において生じる、文字のＩＤを決定することと
を包含する、方法。
【請求項１３】
第２のレンダリングされた文書から、前記第２のレンダリングされた文書内のテキストの第３の画像を取得することと、
前記受信されたマッピングを使用することにより、文字であって、前記文字の画像が前記テキストの第３の画像において生じる、文字のＩＤを決定することと
をさらに包含する、請求項１２に記載の方法。
【請求項１４】
レンダリングされた文書からテキストを取得するための携帯光学テキスト取得装置であって、
前記レンダリングされた文書から、前記レンダリングされた文書内のテキストの第１の画像と、前記レンダリングされた文書内のテキストの第２の画像とを取得する取得構成要素と、
前記携帯光学テキスト取得装置から分離したコンピュータシステムに前記テキストの取得された第１の画像をアップロードするアップロード構成要素と、
前記コンピュータシステムから、前記レンダリングされた文書において使用される書体の文字画像の文字ＩＤへのマッピングを受信する受信構成要素と、
前記受信されたマッピングを使用することにより、文字であって、前記文字の画像が前記テキストの第２の画像において生じる、文字のＩＤを決定する決定構成要素と
を備える、携帯光学テキスト取得装置。
【請求項１５】
前記携帯光学テキスト取得装置は、移動電話である、請求項１４に記載の携帯光学テキスト取得装置。
【請求項１６】
レンダリングされた文書からテキストを取得する携帯光学テキスト取得装置における方法であって、
前記レンダリングされた文書内のテキストの画像を前記レンダリングされた文書から取得するステップと、
前記携帯光学テキスト取得装置内に記憶された文字関係ルールに従って、前記携帯光学テキスト取得装置内のアイデンティティに直接関係する外観を有する顕著な文字以外の複数の文字を組み合わせることによって顕著な文字を形成することができことを判定することにより、前記携帯光学テキスト取得装置内のそのアイデンティティと直接関係しない外観を有する、前記取得された画像内に含まれる顕著な文字を識別するステップと、含む方法。
【請求項１７】
前記方法が実行される前記携帯光学テキスト取得装置は、無線電話である、請求項１６に記載の方法。
【請求項１８】
一つ以上のコンピュータメモリであって、前記一つ以上のコンピュータメモリのコンテンツは、コンピュータシステムに、レンダリングされた文書からテキストを取得する方法を実行させ、前記方法は、
携帯光学テキスト取得装置からテキストの画像を受信することであって、前記テキストの画像は、前記レンダリングされた文書から取得される、ことと、
前記受信された画像に含まれる区別された文字であって、前記携帯光学テキスト取得装置において前記区別された文字の外観が直接的にそのＩＤと関係していない、区別された文字を、前記区別された文字が、前記携帯光学テキスト取得装置に格納されている文字関係規則に従って、前記区別された文字以外の複数の文字であって、前記携帯光学テキスト取得装置において前記複数の文字の外観が直接的にそのＩＤと関係している、複数の文字を組み合わせることによって形成され得ると判断することによって、識別することと
を包含する、一つ以上のコンピュータメモリ。
【請求項１９】
レンダリングされた文書から光学的に取得されたテキストを受信することと、
前記テキストを受信することに応答して、光学的取得に基づいた前記レンダリングされた文書とのインタラクションが不可能であるという明示的な指示を提示することと
を包含する、コンピュータシステムにおける方法。
【請求項２０】
前記明示的な指示を提示することは、前記受信されたテキストが、他の場合には前記レンダリングされた文書とのインタラクションの根拠としての役割を果たすインデックス内にないことが判定されたことに応答して、前記明示的な指示を提示することを含む、請求項１９に記載の方法。
【請求項２１】
前記明示的な指示を提示することは、前記レンダリングされた文書とのインタラクションの許可を提供する許可確認に失敗したことが判定されたことに応答して、前記明示的な指示を提示することを含む、請求項１９に記載の方法。
【請求項２２】
前記明示的な指示を提示することは、前記レンダリングされた文書とのインタラクションに要求される支払い確認に失敗したことが判定されたことに応答して、前記明示的な指示を提示することを含む、請求項１９に記載の方法。
【請求項２３】
前記明示的な指示を提示することは、前記レンダリングされた文書を含む文書の集合から前記レンダリングされた文書を区別するのに前記受信されたテキストが適切でないことが判定されたことに応答して、前記明示的な指示を提示することを含む、請求項１９に記載の方法。